【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
ワイヤレスメディアネットワークであって、
メディアデータパケットをワイヤレスで伝送するためのソースデバイスと、
前記メディアデータを前記ソースデバイスからワイヤレスで受信するための少なくとも１つのシンクデバイスと
を備え、
前記ソースデバイスは、アクティブ登録モードと、クワイエット登録モードと、データモードとを備え、
前記ソースデバイスは、前記アクティブ登録モードにあるとき、登録パケットを伝送し、前記少なくとも１つのシンクデバイスからの応答パケットをリッスンし、
アクティブ登録のための有効応答パケットが、前記少なくとも１つのシンクデバイスから受信された場合、前記ソースデバイスは、前記少なくとも１つのシンクデバイスとの前記データモードに入り、前記メディアデータパケットを前記少なくとも１つのシンクデバイスに伝送し、
前記ソースデバイスは、前記クワイエット登録モードにあるとき、前記少なくとも１つのシンクデバイスからの信号をリッスンし、
前記信号が受信されると、前記ソースデバイスは、前記アクティブ登録モードに入り、
前記アクティブ登録のための有効応答パケットが、前記少なくとも１つのシンクデバイスから受信されない場合、前記ソースデバイスは、登録タイムアウト後、前記クワイエット登録モードに戻り、
前記クワイエット登録モードがディスエーブルにされている場合、前記アクティブ登録のための有効応答パケットが受信されない場合、前記登録タイムアウト後、前記ソースデバイスは、パワーダウン／スリープモードに入る、ワイヤレスメディアネットワーク。
【請求項２】
前記少なくとも１つのシンクデバイスからの前記信号は、少なくとも１つの登録トリガパケットを備えている、請求項１に記載のワイヤレスメディアネットワーク。
【請求項３】
前記少なくとも１つのシンクデバイスからの前記信号は、クワイエット登録トリガ閾値を上回るレベルを有するピークＲＳＳＩを備えている、請求項１に記載のワイヤレスメディアネットワーク。
【請求項４】
前記少なくとも１つのシンクデバイスからの前記信号は、クワイエット登録トリガ閾値を上回るレベルを有する、ある期間にわたる平均ＲＳＳＩを備えている、請求項１に記載のワイヤレスメディアネットワーク。
【請求項５】
前記シンクデバイスは、それらの間にアイドル時間を有する複数の登録トリガパケットを伝送する、請求項１に記載のワイヤレスメディアネットワーク。
【請求項６】
前記複数の登録トリガパケットは、共通ヘッダ、複数の可変ヘッダバイト、および可変サイズ登録トリガペイロードを備えている、請求項５に記載のワイヤレスメディアネットワーク。
【請求項７】
前記共通ヘッダは、パケットタイプおよびペイロードオフセットを備えている、請求項６に記載のワイヤレスメディアネットワーク。
【請求項８】
前記複数の可変ヘッダバイトは、シンクデバイスユニット識別を備えている、請求項６に記載のワイヤレスメディアネットワーク。
【請求項９】
前記可変サイズ登録トリガペイロードは、クワイエット登録シンクトリガパケットペイロードサイズデータベース設定によって決定される、請求項６に記載のワイヤレスメディアネットワーク。
【請求項１０】
外部入力が検出されると、前記ソースデバイスが前記クワイエット登録モードを終了することをさらに含む、請求項１に記載のワイヤレスメディアネットワーク。
【請求項１１】
前記外部入力は、アソシエーションボタンの起動である、請求項１０に記載のワイヤレスメディアネットワーク。
【請求項１２】
前記外部入力は、遠隔制御キー入力動作の起動である、請求項１０に記載のワイヤレスメディアネットワーク。
【請求項１３】
前記外部入力は、シンククワイエット登録トリガパケットの受信である、請求項１０に記載のワイヤレスメディアネットワーク。
【請求項１４】
ワイヤレスネットワークに接続し、その中で動作するように構成されているワイヤレスデバイスであって、前記ワイヤレスデバイスは、第１の動作モード、第２の動作モード、および、第３の動作モードで動作するようにさらに構成され、
前記第１のモードは、データの伝送および受信を可能にするアクティブモードであり、
前記第２のモードは、前記ワイヤレスデバイスが、所定のトークンが受信されるまで、データを受信することのみ可能であるクワイエットモードであり、
前記第３のモードは、前記クワイエット登録モードがディスエーブルにされている場合およびアクティブ登録のための有効応答パケットが受信されない場合に前記登録タイムアウト後に入るパワーダウン／スリープモードである、ワイヤレスデバイス。
【請求項１５】
前記トークンは、登録トリガパケットである、請求項１４に記載のワイヤレスデバイス。
【請求項１６】
前記登録トリガパケットは、共通ヘッダと、それに続く可変ヘッダと、それに続く登録トリガペイロードとを備えている、請求項１５に記載のワイヤレスデバイス。
【請求項１７】
前記登録トリガパケットは、有効Ｋｌｅｅｒ（登録商標）登録トリガパケットである、請求項１５に記載のワイヤレスデバイス。
【請求項１８】
前記トークンは、登録トリガチャネルにおける、クワイエット登録トリガ閾値を上回るピークレベルまたは平均ＲＳＳＩレベルの検出を提供する、請求項１４に記載のワイヤレスデバイス。
【請求項１９】
前記デバイスは、誤登録トリガパケットの受信後、前記第１の動作モードに切り替わり、次いで、登録タイムアウト後、前記第２の動作モードに戻るようにさらに構成されている、請求項１４に記載のワイヤレスデバイス。
【請求項２０】
前記第２の動作モードにあるとき、前記ワイヤレスデバイスは、クワイエット登録トリガチャネル上の受信機として構成され、前記第１の動作モードに切り替わるための前記登録トリガパケットを待つ、請求項１４に記載のワイヤレスデバイス。
【請求項２１】
パケットベースの伝送ネットワークのためのワイヤレスプロトコルであって、前記ワイヤレスプロトコルは、アクティブ登録モードとパワーダウン／スリープモードとクワイエット登録モードとの間で切り替わることをワイヤレスデバイスに提供し、
前記アクティブ登録モードは、データの伝送および受信を可能にし、
前記クワイエット登録モードにおいて、前記ワイヤレスデバイスは、所定のトリガパケットが受信されるまで、データを受信することのみ可能であり、
前記パワーダウン／スリープモードは、前記クワイエット登録モードがディスエーブルにされている場合およびアクティブ登録のための有効応答パケットが受信されない場合に前記登録タイムアウト後に入る、ワイヤレスプロトコル。
【請求項２２】
前記トリガパケットは、共通ヘッダと、それに続く可変ヘッダと、それに続く登録トリガペイロードとを備えている、請求項２１に記載のプロトコル。
【請求項２３】
前記トリガパケットは、有効Ｋｌｅｅｒ（登録商標）登録トリガパケットである、請求項２１に記載のプロトコル。
【請求項２４】
前記トリガパケットは、登録トリガチャネルにおける、クワイエット登録トリガ閾値を上回るピークレベルまたは平均ＲＳＳＩレベルの検出を提供する、請求項２１に記載のプロトコル。
【請求項２５】
前記トリガパケットは、ユニット識別フィールドの使用によって、誤登録トリガのフィルタリングを提供する、請求項２１に記載のプロトコル。
【請求項２６】
ワイヤレスメディアネットワーク内でソースおよびシンクデバイスを一緒に接続する方法であって、前記方法は、
メディアデータをソースデバイスから伝送するステップであって、前記ソースデバイスは、アクティブ登録モードと、クワイエット登録モードと、データモードとを備えている、ステップと、
シンクデバイスを用いて、前記メディアデータを前記ソースデバイスから受信するステップと、
前記アクティブ登録モードにあるとき、アクティブ登録パケットを前記ソースデバイスから伝送するステップと、
前記ソースデバイスを用いて、前記シンクデバイスからの応答パケットをリッスンするステップであって、アクティブ登録のための有効応答パケットが前記シンクデバイスから受信された場合、前記ソースデバイスは、前記シンクデバイスとの前記データモードに入り、前記メディアデータを前記シンクデバイスに伝送する、ステップと、
前記ソースデバイスが前記クワイエット登録モードにあるとき、前記シンクデバイスからのある一定の信号をリッスンするステップと、
ユニット識別子フィールドを使用することによって、誤登録トリガパケットをフィルタリングするステップと、
前記ある一定の信号が前記シンクデバイスから受信されると、前記アクティブ登録モードに戻るステップと、
前記アクティブ登録のための有効応答パケットが前記シンクデバイスから受信されない場合、登録タイムアウト後、前記クワイエット登録モードに戻るステップと、
前記クワイエット登録モードがディスエーブルにされているとき、前記アクティブ登録のための有効応答パケットが受信されない場合、前記登録タイムアウト後、前記ソースデバイスをパワーダウン／スリープモードの状態にするステップと
を含む、方法。
【請求項２７】
前記ある一定の信号は、正しいユニット識別フィールドを有する有効信号を備えている、請求項２６に記載の方法。
【請求項２８】
前記ある一定の信号は、十分に強い信号を備えている、請求項２６に記載の方法。
【手続補正２】
【補正対象書類名】明細書
【補正対象項目名】００１４
【補正方法】変更
【補正の内容】
【００１４】
本方法のさらなる実施形態によると、ある一定の信号は、正しいユニット識別フィールドを有する有効信号を備え得る。本方法のさらなる実施形態によると、ある一定の信号は、十分に強い信号を備え得る。本方法のさらなる実施形態によると、クワイエット登録モードがディスエーブルにされると、さらに、アクティブ登録のための有効応答パケットが、受信されない場合、登録タイムアウト後、ソースデバイスをパワーダウン／スリープモードにするステップを含み得る。
本発明は、例えば、以下を提供する。
（項目１）
ワイヤレスメディアネットワークであって、
メディアデータパケットをワイヤレスで伝送するためのソースデバイスと、
前記メディアデータを前記ソースデバイスからワイヤレスで受信するための少なくとも１つのシンクデバイスと
を備え、
前記ソースデバイスは、アクティブ登録モードと、クワイエット登録モードと、データモードとを備え、
前記ソースデバイスは、前記アクティブ登録モードにあるとき、登録パケットを伝送し、前記少なくとも１つのシンクデバイスからの応答パケットをリッスンし、
アクティブ登録のための有効応答パケットが、前記少なくとも１つのシンクデバイスから受信された場合、前記ソースデバイスは、前記少なくとも１つのシンクデバイスとの前記データモードに入り、前記メディアデータパケットを前記少なくとも１つのシンクデバイスに伝送し、
前記ソースデバイスは、前記クワイエット登録モードにあるとき、前記少なくとも１つのシンクデバイスからの信号をリッスンし、
前記信号が受信されると、前記ソースデバイスは、前記アクティブ登録モードに入り、
前記アクティブ登録のための有効応答パケットが、前記少なくとも１つのシンクデバイスから受信されない場合、前記ソースデバイスは、登録タイムアウト後、前記クワイエット登録モードに戻る、
ワイヤレスメディアネットワーク。
（項目２）
前記クワイエット登録モードがディスエーブルにされている場合、前記アクティブ登録のための有効応答パケットが受信されない場合、前記登録タイムアウト後、前記ソースデバイスがパワーダウン／スリープモードに入るであろうことをさらに含む、項目１に記載のワイヤレスメディアネットワーク。
（項目３）
前記少なくとも１つのシンクデバイスからの前記信号は、少なくとも１つの登録トリガパケットを備えている、項目１に記載のワイヤレスメディアネットワーク。
（項目４）
前記少なくとも１つのシンクデバイスからの前記信号は、クワイエット登録トリガ閾値を上回るレベルを有するピークＲＳＳＩを備えている、項目１に記載のワイヤレスメディアネットワーク。
（項目５）
前記少なくとも１つのシンクデバイスからの前記信号は、クワイエット登録トリガ閾値を上回るレベルを有する、ある期間にわたる平均ＲＳＳＩを備えている、項目１に記載のワイヤレスメディアネットワーク。
（項目６）
前記シンクデバイスは、それらの間にアイドル時間を有する複数の登録トリガパケットを伝送する、項目１に記載のワイヤレスメディアネットワーク。
（項目７）
前記複数の登録トリガパケットは、共通ヘッダ、複数の可変ヘッダバイト、および可変サイズ登録トリガペイロードを備えている、項目６に記載のワイヤレスメディアネットワーク。
（項目８）
前記共通ヘッダは、パケットタイプおよびペイロードオフセットを備えている、項目７に記載のワイヤレスメディアネットワーク。
（項目９）
前記複数の可変ヘッダバイトは、シンクデバイスユニット識別を備えている、項目７に記載のワイヤレスメディアネットワーク。
（項目１０）
前記可変サイズ登録トリガペイロードは、クワイエット登録シンクトリガパケットペイロードサイズデータベース設定によって決定される、項目７に記載のワイヤレスメディアネットワーク。
（項目１１）
外部入力が検出されると、前記ソースデバイスが前記クワイエット登録モードを終了することをさらに含む、項目１に記載のワイヤレスメディアネットワーク。
（項目１２）
前記外部入力は、アソシエーションボタンの起動である、項目１１に記載のワイヤレスメディアネットワーク。
（項目１３）
前記外部入力は、遠隔制御キー入力動作の起動である、項目１１に記載のワイヤレスメディアネットワーク。
（項目１４）
前記外部入力は、シンククワイエット登録トリガパケットの受信である、項目１１に記載のワイヤレスメディアネットワーク。
（項目１５）
ワイヤレスネットワークに接続し、その中で動作するように構成されているワイヤレスデバイスであって、前記ワイヤレスデバイスは、第１および第２の動作モードで動作するようにさらに構成され、前記第１のモードは、データの伝送および受信を可能にするアクティブモードであり、前記第２のモードは、前記ワイヤレスデバイスが、所定のトークンが受信されるまで、データを受信することのみ可能であるクワイエットモードである、ワイヤレスデバイス。
（項目１６）
前記トークンは、登録トリガパケットである、項目１５に記載のワイヤレスデバイス。
（項目１７）
前記登録トリガパケットは、共通ヘッダと、それに続く可変ヘッダと、それに続く登録トリガペイロードとを備えている、項目１６に記載のワイヤレスデバイス。
（項目１８）
前記登録トリガパケットは、有効Ｋｌｅｅｒ（登録商標）登録トリガパケットである、項目１６に記載のワイヤレスデバイス。
（項目１９）
前記トークンは、登録トリガチャネルにおける、クワイエット登録トリガ閾値を上回るピークレベルまたは平均ＲＳＳＩレベルの検出を提供する、項目１５に記載のワイヤレスデバイス。
（項目２０）
前記デバイスは、誤登録トリガパケットの受信後、前記第１の動作モードに切り替わり、次いで、登録タイムアウト後、前記第２の動作モードに戻るようにさらに構成されている、項目１５に記載のワイヤレスデバイス。
（項目２１）
前記第２の動作モードにあるとき、前記ワイヤレスデバイスは、前記クワイエット登録トリガチャネル上の受信機として構成され、前記第１の動作モードに切り替わるための前記登録トリガパケットを待つ、項目１５に記載のワイヤレスデバイス。
（項目２２）
パケットベースの伝送ネットワークのためのワイヤレスプロトコルであって、前記ワイヤレスプロトコルは、アクティブ登録モードとクワイエット登録モードとの間で切り替わることをワイヤレスデバイスに提供し、前記アクティブ登録モードは、データの伝送および受信を可能にし、前記クワイエット登録モードにおいて、前記ワイヤレスデバイスは、所定のトリガパケットが受信されるまで、データを受信することのみ可能である、ワイヤレスプロトコル。
（項目２３）
前記トリガパケットは、共通ヘッダと、それに続く可変ヘッダと、それに続く登録トリガペイロードとを備えている、項目２２に記載のプロトコル。
（項目２４）
前記トリガパケットは、有効Ｋｌｅｅｒ（登録商標）登録トリガパケットである、項目２２に記載のプロトコル。
（項目２５）
前記トリガパケットは、登録トリガチャネルにおける、クワイエット登録トリガ閾値を上回るピークレベルまたは平均ＲＳＳＩレベルの検出を提供する、項目２２に記載のプロトコル。
（項目２６）
前記トリガパケットは、ユニット識別フィールドの使用によって、誤登録トリガのフィルタリングを提供する、項目２２に記載のプロトコル。
（項目２７）
ワイヤレスメディアネットワーク内でソースおよびシンクデバイスを一緒に接続する方法であって、
メディアデータをソースデバイスから伝送するステップであって、前記ソースデバイスは、アクティブ登録モードと、クワイエット登録モードと、データモードとを備えている、ステップと、
シンクデバイスを用いて、前記メディアデータを前記ソースデバイスから受信するステップと、
前記アクティブ登録モードにあるとき、アクティブ登録パケットを前記ソースデバイスから伝送するステップと、
前記ソースデバイスを用いて、前記シンクデバイスからの応答パケットをリッスンするステップであって、アクティブ登録のための有効応答パケットが前記シンクデバイスから受信された場合、前記ソースデバイスは、前記シンクデバイスとの前記データモードに入り、前記メディアデータを前記シンクデバイスに伝送する、ステップと、
前記ソースデバイスが前記クワイエット登録モードにあるとき、前記シンクデバイスからのある一定の信号をリッスンするステップと、
ユニット識別子フィールドを使用することによって、誤登録トリガパケットをフィルタリングするステップと、
前記ある一定の信号が前記シンクデバイスから受信されると、前記アクティブ登録モードに戻るステップと、
前記アクティブ登録のための有効応答パケットが前記シンクデバイスから受信されない場合、登録タイムアウト後、前記クワイエット登録モードに戻るステップと
を含む、方法。
（項目２８）
前記ある一定の信号は、正しいユニット識別フィールドを有する有効信号を備えている、項目２７に記載の方法。
（項目２９）
前記ある一定の信号は、十分に強い信号を備えている、項目２７に記載の方法。
（項目３０）
前記クワイエット登録モードがディスエーブルにされている場合、前記アクティブ登録のための有効応答パケットが受信されない場合、前記登録タイムアウト後、前記ソースデバイスをパワーダウン／スリープモードにするステップをさらに含む、項目２７に記載の方法。